(57)【要約】【課題】    従来の配管用防音材は、配管に挿入し難く、配管と密着しない部分の遮音効果が不充分で、しかも既設の配管に取り付けることができないという問題点があった。【解決手段】  本発明に係る配管用防音材は、シート状の防音材本体１２と、防音材本体１２の一の縁部に取り付けられた目地テープ１４とを備え、防音材本体１２は鉄粉入りゴムアスファルトからなるシートを主体とし、目地テープ１４はテープ本体２２と、テープ本体２２に塗布・形成された粘着剤層２４と、粘着剤層２４を被覆する離型紙２６とからなり、目地テープ１４は幅方向半分程度の領域が防音材本体１２の縁部に貼り付けられ、目地テープ１４の残りの領域は離型紙２６によって被覆されているものである。【選択図】  図１
2007139087.tif 000002
【特許請求の範囲】
【請求項１】
シート状の防音材本体と、該防音材本体の一の縁部に取り付けられた目地テープとを備え、該目地テープはテープ本体と、該テープ本体に塗布・形成された粘着剤層と、該粘着剤層を被覆する離型紙とからなり、該目地テープは幅方向の一部の領域が該防音材本体の縁部に貼り付けられ、該目地テープの残りの領域は該離型紙によって被覆されていることを特徴とする配管用防音材。
【請求項２】
シート状の防音材本体と、該防音材本体の一の縁部に取り付けられた目地テープとを備え、該防音材本体は鉄粉入りゴムアスファルトからなるシートを主体とし、該目地テープはテープ本体と、該テープ本体に塗布・形成された粘着剤層と、該粘着剤層を被覆する離型紙とからなり、該目地テープは幅方向半分程度の領域が該防音材本体の縁部に貼り付けられ、該目地テープの残りの領域は該離型紙によって被覆されていることを特徴とする請求項１に記載の配管用防音材。
【請求項３】
前記防音材本体が該防音材本体の前記一の縁部に平行な軸を中心にして湾曲していることを特徴とする請求項１又は２に記載の配管用防音材。
【請求項４】
前記防音材本体の表裏いずれかの面に切断用の目印ラインが該防音材本体の前記一の縁部に平行に描かれていることを特徴とする請求項１〜３のいずれかに記載の配管用防音材。
【請求項５】
配管に配管用防音材を被覆する配管用防音材の施工方法であって、該配管用防音材は、シート状の防音材本体と、該防音材本体の一の縁部に取り付けられた目地テープとを備え、該目地テープはテープ本体と、該テープ本体に塗布・形成された粘着剤層と、該粘着剤層を被覆する離型紙とからなり、該目地テープは幅方向の一部の領域が該防音材本体の該一の縁部に貼り付けられ、該目地テープの残りの領域は該離型紙によって被覆されており、該配管用防音材を配管に巻き付ける工程と、該目地テープの離型紙を剥がす工程と、該目地テープが取り付けられている縁部と対向する他の縁部に該目地テープの粘着面を貼り付ける工程とを備えたことを特徴とする配管用防音材の施工方法。
【請求項６】
配管に配管用防音材を被覆する配管用防音材の施工方法であって、該配管用防音材は、シート状の防音材本体と、該防音材本体の一の縁部に取り付けられた目地テープとを備え、該防音材本体は鉄粉入りゴムアスファルトからなるシートを主体とし、該目地テープはテープ本体と、該テープ本体に塗布・形成された粘着剤層と、該粘着剤層を被覆する離型紙とからなり、該目地テープは幅方向半分程度の領域が該防音材本体の該一の縁部に貼り付けられ、該目地テープの残りの領域は該離型紙によって被覆されており、該配管用防音材を配管に巻き付ける工程と、該目地テープの離型紙を剥がす工程と、該目地テープが取り付けられている縁部と対向する他の縁部に該目地テープの粘着面を貼り付ける工程とを備えたことを特徴とする請求項５に記載の配管用防音材の施工方法。
【請求項７】
前記防音材本体が該防音材本体の前記一の縁部に平行な軸を中心にして湾曲していることを特徴とする請求項５又は６に記載の配管用防音材の施工方法。
【請求項８】
前記防音材本体の表裏いずれかの面に切断用の目印ラインが該防音材本体の前記一の縁部に平行に描かれており、該目印ラインのうちで、該配管用防音材を被覆させる配管の径に対応した目印ラインに沿って該配管用防音材を該配管用防音材の施工前に切断することを特徴とする請求項５〜７のいずれかに記載の配管用防音材の施工方法。
【発明の詳細な説明】
【技術分野】
【０００１】
本発明は、例えばトイレの配水管のような、衝撃的に水を流す配水管において、衝撃的に流れる水によって生まれた騒音を吸収又は遮断して外部にできるだけ漏れないようにする配管用防音材とその施工方法に関するものである。
【背景技術】
【０００２】
この種の配管用防音材としては、図６に示すような、被覆すべき配管の外径とほぼ同じ内径を有する筒状体からなる配管用防音材１００が知られている。この配管用防音材１００は、鉄粉入りゴムアスファルトシートからなる防音材本体と、該防音材本体の一方の面を被覆している後述の第一被覆材層と、他方の面を被覆している後述の第二被覆材層とからなる。
【０００３】
配管用防音材１００は、保管・運搬の際は筒状のままだとかさばるので、保管時・運搬時は、図７に示すように、潰してほぼ平らにしておき、使用時に筒状に広げて使用されている。
【０００４】
配管用防音材１００は、配管を設置する前に、図８に示すように、配管１３０を配管用防音材１００の中に押し込む形で配管１３０に被せ、配管１３０を建物の所定の場所に設置するという形で使用されている。
【０００５】
そして、配管１３０に配管用防音材１００を被せると、配管１３０から発生する騒音が配管用防音材１００の防音材本体に吸収又は遮断され、配管１３０の近くの環境はかなり静寂になる。
【特許文献１】特開平１０−８５９０号公報
【特許文献２】特開２００１−８２６７１号公報
【発明の開示】
【発明が解決しようとする課題】
【０００６】
しかし、上記従来の配管用防音材は内径を被覆しようとする配管の外径とほぼ同じに作ってあることと、潰してある配管用防音材を広げて使用するので内部を真円に拡げ難いことから、配管用防音材の内面と配管の外面との摩擦が大きく、配管用防音材に配管を挿入させ難い。
【０００７】
また、上記従来の配管用防音材が挿入させ易さを考えて内径を配管の外径より若干大きく作ってあるので、配管用防音材が配管と密着しない部分ができ、その部分の遮音効果がやや不充分になっていた。
【０００８】
また、上記従来の配管用防音材は円筒形で、開く形状ではないので、既に取り付けられている既設の配管には取り付けることができなかった。もし、既設の配管に取り付ける場合は配管を外して取り付けるしかなかった。
【課題を解決するための手段】
【０００９】
本発明に係る配管用防音材は、シート状の防音材本体と、該防音材本体の一の縁部に取り付けられた目地テープとを備え、該目地テープはテープ本体と、該テープ本体に塗布・形成された粘着剤層と、該粘着剤層を被覆する離型紙とからなり、該目地テープは幅方向の一部の領域が該防音材本体の縁部に貼り付けられ、該目地テープの残りの領域は該離型紙によって被覆されているものである。
【００１０】
また、本発明に係る配管用防音材の施工方法は、配管に配管用防音材を被覆する配管用防音材の施工方法であって、該配管用防音材は、シート状の防音材本体と、該防音材本体の一の縁部に取り付けられた目地テープとを備え、該目地テープはテープ本体と、該テープ本体に塗布・形成された粘着剤層と、該粘着剤層を被覆する離型紙とからなり、該目地テープは幅方向の一部の領域が該防音材本体の該一の縁部に貼り付けられ、該目地テープの残りの領域は該離型紙によって被覆されており、該配管用防音材を配管に巻き付ける工程と、該目地テープの離型紙を剥がす工程と、該目地テープが取り付けられている縁部と対向する他の縁部に該目地テープの粘着面を貼り付ける工程とを備えたものである。
【００１１】
ここで、前記防音材本体は鉄粉入りゴムアスファルトからなるシートを主体とするのが好ましく、前記目地テープは幅方向半分程度の領域が該防音材本体の縁部に貼り付けられているのが好ましい。また、前記防音材本体は該防音材本体の前記一の縁部に平行な軸を中心にして湾曲させておいてもよい。また、前記防音材本体の表裏いずれかの面に切断用の目印ラインを前記一の縁部に平行に描いておき、該目印ラインのうちで、該配管用防音材を被覆させる配管の径に対応した目印ラインに沿って該配管用防音材を該配管用防音材の施工前に切断して使用してもよい。
【発明の効果】
【００１２】
本発明に係る配管用防音材は、防音材本体がシート状に開いた状態になっていて、従来のように円筒状に閉じていないので、既設の配管にも外側から巻き付けることができるという効果がある。もちろん、新設の配管に使用することもできる。
【００１３】
また、本発明に係る配管用防音材は、配管を被覆するに足る設計通りのサイズで作って配管に被覆させることができるので、配管用防音材を配管に完全に密着した状態で被覆させることができ、設計通りの防音・遮音効果が得られる。
【００１４】
また、本発明に係る配管用防音材は、湾曲していて予め巻き癖が付けられている場合、施工の際に防音・遮音対象の配管に巻き付け易く、配管用防音材の配管への施工がきれいに早くできるという効果がある。
【００１５】
また、本発明に係る配管用防音材は、切断位置がわかる切断目印ラインが表裏いずれかの面に設けられている場合、幅調整のための切断が容易であり、配管用防音材の幅を容易に調整することができるので、径の異なる配管に容易に対応することができ、計画通りに行かない現場での対応が容易になるという効果がある。
【発明を実施するための最良の形態】
【００１６】
まず、本発明に係る配管用防音材の構造について図を参照にしながら説明する。図１は本発明に係る配管用防音材の一例の説明図、図２は図１のＡ−Ａ矢視断面図、図３は図２のＡ部拡大図である。
【００１７】
これらの図において、１０は配管用防音材であり、配管用防音材１０は、湾曲した矩形でシート状の防音材本体１２と、防音材本体１２の長手方向の縁部の一方に幅方向に半分程度貼り付けられた目地テープ１４とからなる。
【００１８】
防音材本体１２は、防音材層１６と、防音材層１６の一方の面側（湾曲している外側の面側）に被覆されている第一被覆材層１８と、防音材層１６の他方の面側（湾曲している内側の面側）に被覆されている第二被覆材層２０とからなる。
【００１９】
防音材層１６は鉄粉入りゴムアスファルトからなり、第一被覆材層１８はアルミニウム蒸着を施したポリエステルフィルムからなり、第二被覆材層２０はポリエステル繊維で作った薄い不織布からなる。
【００２０】
鉄粉入りゴムアスファルトは、鉄粉が６０ｗｔ％〜９０ｗｔ％、ゴムアスファルトが１０ｗｔ％〜４０ｗｔ％程度の組成のものからなる。
【００２１】
目地テープ１４はプラスチック製のテープ本体２２と、テープ本体２２の一方の面に塗布して形成された粘着剤層２４と、粘着剤層２４の幅方向半分程度の露出面に貼り付けられた離型紙２６とからなる。
【００２２】
次に、上述した配管用防音材の製造方法と梱包方法について説明する。
【００２３】
まず、防音材本体１２の原反（サイズの一例として３８００ｍｍ×９１０ｍｍ）を準備し、これを被覆すべき配管の直径に応じたサイズに裁断する。配管の直径が、例えば、６８φの場合は２１３．５２ｍｍ×９１０ｍｍ、９７φの場合は３０４．５８ｍｍ×９１０ｍｍ、１２２φの場合は３８３．０８ｍｍ×９１０ｍｍに裁断する。裁断は裁断機で行っても良いし、作業員がカッターと定規を用いて手作業で行っても良い。
【００２４】
次に、裁断によって得られた防音材本体１２の長手方向縁部に目地テープ１４を粘着面を幅方向に半分程度出した状態で貼り付ける。そして、目地テープ１４の露出している粘着面に離型紙を貼る。そして、これを図４（ａ）又は図４（ｂ）に示すようなロール成形機２８にかけて湾曲させ、本発明に係る配管用防音材１０を得る。なお、ロール成型機２８のロール表面が加温されているとその生産性・確実性等の点でなお良い。
【００２５】
次に、ある程度湾曲された配管用防音材１０を複数枚、例えば５枚を重ね、これを長手方向縁部付近を軸にして丸め、この状態で配管用防音材１０を梱包用のプラスチック帯で結束する。配管用防音材１０を丸める作業は温度をある程度上げた作業環境で行うと容易になる。丸めて結束した配管用防音材１０は輸送用の箱に入れて梱包し、ユーザー先に輸送する。
【００２６】
次に、上述した配管用防音材を既設配管に被覆する場合の施工方法について説明する。
【００２７】
まず、配管用防音材１０の入った輸送用の箱を開梱する。輸送用の箱には配管用防音材１０は複数枚がまとめて円筒状に丸められて入っている。
【００２８】
次に、輸送用の箱から配管用防音材１０の束を取り出し、その中から１枚分の配管用防音材１０を分取し、分取した配管用防音材１０を既設の配管３０に巻き付ける。配管用防音材１０は輸送用の箱の中に丸めて保管されていたことによって巻き癖が付いているので、配管３０の周囲に容易に巻き付く。
【００２９】
配管用防音材１０を手で押さえて配管３０に密着させ、この状態で、配管用防音材１０の長手方向縁部の一方に付けられている目地テープ１４から離型紙２６を剥がし、目地テープ１４の粘着面を他方の長手方向縁部近傍の表面に押し付けて貼り付ける。これで、図５に示すように、本発明に係る配管用防音材１０の既設配管３０への被覆が完了する。
【００３０】
なお、被覆すべき配管に合致したサイズの配管用防音材１０が無い場合は、被覆すべき配管より大きめの配管用の配管用防音材１０が有れば、この配管用防音材１０をその配管３０の外径に合致したサイズになる切断用の目印ライン３２に沿って裁断し、これを上述のようにして配管に被覆してもよい。
【００３１】
上記説明において使用した図は本発明の一例を説明するためだけのものであり、本発明を何ら限定するものではない。
【図面の簡単な説明】
【００３２】
【図１】本発明に係る配管用防音材の一例の説明図である。
【図２】図１のＡ−Ａ矢視断面図である。
【図３】図２のＡ部拡大図である。
【図４】ロール成型機の説明図である。
【図５】配管に被覆した状態を示す説明図である。
【図６】従来の配管用防音材の一例（円筒状）の説明図である。
【図７】従来の配管用防音材の一例（潰した状態）の説明図である。
【図８】従来の配管用防音材を配管に被覆した状態を示す説明図である。
【符号の説明】
【００３３】
１０  配管用防音材
１２  防音材本体
１４  目地テープ
１６  防音材層
１８  第一被覆材層
２０  第二被覆材層
２２  テープ本体
２４  粘着剤層
２６  離型紙
２８  ロール成形機
３０  配管
３２  目印ライン
【図１】
2007139087.tif 000003
【図２】
2007139087.tif 000004
【図３】
2007139087.tif 000005
【図４】
2007139087.tif 000006
【図５】
2007139087.tif 000007
【図６】
2007139087.tif 000008
【図７】
2007139087.tif 000009
【図８】
2007139087.tif 000010